(57)【要約】【課題】ファインバブル水を用い、洗浄能力を向上させた洗濯機を提供する。【解決手段】実施形態に係る洗濯機は、水を貯水する水槽と、前記水槽内に配置された回転槽と、洗剤が投入され、洗剤を溶解する溶解領域と、一方が給水弁に接続され、他方は前記溶解領域に給水可能な給水経路と、前記給水経路の途中に設けられ、ファインバブル水を生成可能な微細気泡発生手段と、少なくとも給水弁の開閉を制御する制御手段と、を備え、前記制御手段は、運転される洗濯コースにおいて、給水期間に、洗剤とファインバブル水とを接触させることにより洗剤を溶解する制御を行う。【選択図】図１
2018118175.tif 000002
【特許請求の範囲】
【請求項１】
水を貯水する水槽と、
前記水槽内に配置された回転槽と、
洗剤が投入され、洗剤を溶解する溶解領域と、
一方が給水弁に接続され、他方は前記溶解領域に給水可能な給水経路と、
前記給水経路の途中に設けられ、ファインバブル水を生成可能な微細気泡発生手段と、
少なくとも給水弁の開閉を制御する制御手段と、を備え、
前記制御手段は、運転される洗濯コースにおいて、給水期間に、洗剤とファインバブル水とを接触させることにより洗剤を溶解する制御を行う洗濯機。
【請求項２】
水を貯水する水槽と、
前記水槽内に配置された回転槽と、
柔軟剤が投入され、柔軟剤を溶解する溶解領域と、
一方が給水弁に接続され、他方は前記溶解領域に給水可能な給水経路と、
前記給水経路の途中に設けられ、ファインバブル水を生成可能な微細気泡発生手段と、
少なくとも給水弁の開閉を制御する制御手段と、を備え、
前記制御手段は、運転される洗濯コースにおいて、給水期間に、柔軟剤とファインバブル水とを接触させることにより柔軟剤を溶解する制御を行う洗濯機。
【請求項３】
前記微細気泡発生手段を通過しない給水経路を備える請求項１又は２に記載の洗濯機。
【請求項４】
前記制御手段は、前記微細気泡発生手段を通過させる給水経路に水を通水した後に、前記微細気泡発生手段を通過しない給水経路に水を通水する制御を行う請求項３に記載の洗濯機。
【発明の詳細な説明】
【技術分野】
【０００１】
本発明の実施形態は、洗濯機に関する。
【背景技術】
【０００２】
その球相当直径が数百μｍ程度から数十ｎｍ程度にわたる微細な気泡を含むファインバブルは、界面活性作用、洗浄効果に優れるなど種々の特性を備えており、広範囲な産業応用が期待されている。
【先行技術文献】
【特許文献】
【０００３】
【特許文献１】国際公開第２０１３／０１２０６９号公報
【発明の概要】
【発明が解決しようとする課題】
【０００４】
そこで、ファインバブル水を用い、洗浄能力を向上させた洗濯機を提供する。
【課題を解決するための手段】
【０００５】
実施形態に係る洗濯機は、水を貯水する水槽と、前記水槽内に配置された回転槽と、
洗剤が投入され、洗剤を溶解する溶解領域と、一方が給水弁に接続され、他方は前記溶解領域に給水可能な給水経路と、前記給水経路の途中に設けられ、ファインバブル水を生成可能な微細気泡発生手段と、少なくとも給水弁の開閉を制御する制御手段と、を備える。前記制御手段は、運転される洗濯コースにおいて、給水期間に、洗剤とファインバブル水とを接触させることにより洗剤を溶解する制御を行う。又は、前記制御手段は、運転される洗濯コースにおいて、給水期間に、柔軟剤とファインバブル水とを接触させることにより柔軟剤を溶解する制御を行う。
【図面の簡単な説明】
【０００６】
【図１】第１実施形態に係る洗濯機の構造を示す縦断面図
【図２】実施形態に係る洗濯機の概略構成を示すブロック図
【図３】第２実施形態に係る洗濯機の構造を示す縦断面図
【図４】第３実施形態に係る洗濯機の構造を示す概略図
【図５】実施形態に係る給水弁の開閉タイミングチャート
【発明を実施するための形態】
【０００７】
以下、複数の実施形態による洗濯機を、図面を参照しながら説明する。なお、各実施形態において実質的に同一の構成部位には同一の符号を付し、説明を省略する。
（第１実施形態）
以下、第１実施形態について説明する。図１に示す洗濯機１０は、外箱１２、水槽１４、回転槽１６、パルセータ１８、及びモータ２０を備えている。洗濯機１０の設置面側つまり鉛直下側を、洗濯機１０の下側とし、設置面と反対側つまり鉛直上側を、洗濯機１０の上側とする。
【０００８】
洗濯機１０は、回転槽１６の回転軸が鉛直方向を向いたいわゆる縦軸型の洗濯機である。外箱１２は、洗濯機１０の外殻を構成している。外箱１２は、例えば鋼板等によって略矩形の箱状に形成されており、上部に開口部を有している。水槽１４は、外箱１２の内部に収容されている。回転槽１６は、水槽１４の内部に収容されている。水槽１４は、上側に開口部を有し、下側に水槽底部を有した有底円筒形状に形成されている。同様に、回転槽１６は、上側に開口部を有し、下側に回転槽底部を有した有底円筒形状に形成されている。
【０００９】
水槽１４は、水槽底部に設けられた図示しない排水口を有している。また、洗濯機１０は、図２に示す排水弁５２及びこれに接続された図示しない排水ホースを備えている。排水弁５２は、例えば電子制御式の電磁弁であり、制御装置４６によって駆動制御される。排水弁５２が開放されることにより、水槽１４内の水は、排水口から排水弁５２を経由して洗濯機１０の外部へ排出される。
【００１０】
回転槽１６は、複数の図示しない孔を有しており、回転槽１６の内部と外部とを連通している。孔は、回転槽１６の主に円筒状の筒状部分を構成する周壁の全域に形成されている。水槽１４内に供給された水は、孔を通って、回転槽１６の内外を出入りする。
【００１１】
パルセータ１８は、回転槽１６内の回転槽底部付近に設けられている。パルセータ１８は、回転槽１６に対して相対的に回転可能である。モータ２０は、水槽１４の外側にあって水槽底部に設けられている。モータ２０は、例えばアウターロータ型のＤＣブラシレスモータである。モータ２０と、回転槽１６及びパルセータ１８とは、図示しないクラッチによって接続されている。図示しないクラッチは、パルセータ１８のみが回転する形態と、パルセータ１８と回転槽１６とが一体的に回転する形態とを選択的に切り替えることが可能である。パルセータ１８は、回転槽１６に対して相対的に回転することで、回転槽１６の内側に収容された洗濯物を撹拌する。
【００１２】
洗濯機１０は、その上部に、給水管３０、給水弁ユニット３２、洗剤ケース４４を備えている。給水管３０には例えば水道水の蛇口や風呂水の取水手段が接続されており、洗濯に供する源水２２が供給される。給水弁ユニット３２は、ファインバブル（以下、ＦＢと称する場合がある）側給水弁３４及びメイン給水弁３６に分岐された給水管３０を有している。ＦＢ側給水弁３４には微細気泡発生器４０が接続されており、更にＦＢ管３８に接続されている。ＦＢ管３８はメイン管４２を経由して洗剤ケース４４に接続されている。この構成により、給水管３０に導入された源水２２は、ＦＢ側給水弁３４、微細気泡発生器４０及びＦＢ管３８を通過するルートと、メイン給水弁３６及びメイン管４２を通過するバイパスルートに分岐されて洗剤ケース４４に接続されており、洗剤ケース４４を経由して給水口４５から水槽１４内に供給される。
【００１３】
微細気泡発生器４０は内部に設けられた流路を通過する液体の中、この場合水の中に、微細な気泡を発生させる装置である。微細気泡発生器４０は、例えば、内部流路を流れる液体の圧力を急激に低下させることにより微細気泡を発生させるキャビテーション方式のものを用いることができる。その他、例えば、加圧溶解方式、高速旋回液流方式、微細孔方式、気液二相流旋回方式などの方式を用いてもよい。また、本出願人が先に出願した特願２０１４−１２９０９７号に記載された微細気泡発生装置を利用することもできる。微細気泡発生器４０は泡の球相当直径が５０ｎｍ〜１μｍ程度のウルトラファインバブルを含む気泡を主として発生させることができる。本実施形態におけるファインバブルは、泡の球相当直径が５０ｎｍ〜１μｍのウルトラファインバブルを含む。
【００１４】
一般に微細気泡は、その気泡の球相当直径によって次のように分類されている。例えば、直径１ｍｍ以上の気泡はミリバブル、１μｍから数百μｍ程度の微細気泡はマイクロバブル、１μｍ未満の微細気泡はウルトラファインバブル又はナノバブルと称されている。また、マイクロバブルとウルトラファインバブルを含む数百μｍ以下の微細気泡はファインバブルと総称されている。気泡の直径が１μｍ未満のウルトラファインバブルになると、光の波長よりも小さくなるため視認することができなくなり、液体は透明になる。これらの微細気泡は、総界面面積が大きいこと、浮上速度が遅いこと、内部圧力が大きいこと等の特性により、液体中の物体の洗浄能力に優れていることが知られている。
【００１５】
例えば、ウルトラファインバブルは、以下の性質を有している。すなわち、ウルトラファインバブルは、ブラウン運動をしながら長時間水中に滞在する。自己加圧効果による圧壊により生じたエネルギーで物質が分解されフリーラジカルが生成される。気泡表面がマイナスに帯電するため、ウルトラファインバブル同士は反発し合い、結合がない。また、ウルトラファインバブルは、プラスに帯電する有機物を引き寄せる作用を持っている。このような性質から、ウルトラファインバブルは高い洗浄効果を有する。
【００１６】
また、マイクロバブルは、負の電荷を帯びているため、液体中に漂う正の電荷を帯びた異物を吸着し易い。そのため、マイクロバブルの圧壊によって破壊された異物は、マイクロバブルに吸着されてゆっくりと液体表面へと浮上する。そして、液体表面に集まった異物を除去することで、液体が浄化される。これにより、高い洗浄能力が発揮される。
【００１７】
第１実施形態においては、微細気泡発生器４０により上述のように直径が約５０ｎｍ〜１μｍ程度の気泡であるウルトラファインバブルが主として発生する。以下、ファインバブルを含む水をファインバブル水と称する。
【００１８】
図２は、洗濯機の電気的構成のうち本発明の要旨に関係する部分の電気的構成のブロック図を示している。この図２において、洗濯機１０は、洗濯コース内容の操作等を行うための操作パネル４８、水槽１４内の水位を検知する水位センサ５０、パルセータ１８を回転するモータ２０、ＦＢ側給水弁３４、メイン給水弁３６、排水弁５２を備えている。制御装置４６は、マイクロコンピュータを主体に構成されたものである。この制御装置４６は、洗濯物の洗い、すすぎ及び脱水の洗濯運転等を制御する機能を有している。制御装置４６には、操作パネル４８、及び、前記水位センサ４８からの信号が入力される。
【００１９】
制御装置４６は、これらの入力信号と、予め備えた制御プログラムに基づいて、モータ２０の回転、ＦＢ側給水弁３４、メイン給水弁３６、及び排水弁５２の開閉を制御する機能を有している。
【００２０】
第１実施形態の作用について図５を参照して説明する。図５は、洗い行程、排水・脱水行程、すすぎ行程、排水行程、最終すすぎ行程、排水・脱水行程における、ＦＢ側給水弁３４、メイン給水弁３６及び柔軟剤側給水弁３７の開閉タイミングを示すタイミングチャートである。なお、柔軟剤側給水弁３７については後述する第３実施形態において言及する。
【００２１】
洗い行程において、まず初めに、制御装置４６は、ＦＢ側給水弁３４を開放する制御を行う。図１に示すように、ＦＢ側給水弁３４には微細気泡発生器４０が接続されている。従って、ＦＢ側給水弁３４から供給された源水２２は、微細気泡発生器４０を通過してファインバブル水となり、ファインバブル水はＦＢ管３８を通過し、洗剤ケース４４に給水される。洗剤ケース４４内には洗剤が投入されている。洗剤は洗剤ケース４４内でファインバブル水と接触し混合撹拌されることにより溶解される。ここでは洗剤ケース４４は洗剤の溶解領域でもある。なお、洗剤ケース４４にファインバブル水を供給する前に、源水２２として例えば水道水などを例えば少量、洗剤ケース４４内に供給して洗剤と源水２２を接触させた後に、ファインバブル水を洗剤ケース４４に通じる制御としても良い。
【００２２】
この時、ファインバブル水は表面にマイナス電荷を有しているため、プラスに帯電しやすい界面活性剤すなわち洗剤を吸着しやすい。このため、ファインバブル水は通常の水道水に比較して短時間で洗剤を水中に分散することができるため、洗剤溶けが良好となる。ファイバブル水と洗剤が撹拌され、洗剤が分散されて溶解した洗剤液が生成される。洗剤液は洗剤ケース４４に給水されたファインバブル水の流れに従って流され、給水口４５から水槽１４内に投入される。なお、ここで、洗剤ケース４４に、更に洗剤溶解室を設け、洗剤とファインバブル水を接触、撹拌する構成としてもよい。
【００２３】
次に、図５に示すように、制御装置４６は、洗い行程の途中までＦＢ側給水弁３４を開放して洗剤ケース４４内の洗剤を溶解し終わった後、ＦＢ側給水弁３４を閉塞し、メイン給水弁３６を開放する制御を行い、水槽１４内を洗濯水で満たす制御を実施する。メイン給水弁３６には通常の源水２２として例えば水道水が供給される。メイン給水弁３６にはメイン管４２が接続され、メイン管４２には微細気泡発生器４０は接続されていないので、源水２２は微細気泡発生器４０をバイパスする形でそのまま洗剤ケース４４に供給され、もし余剰の洗剤があればこれを押し流して洗剤ケース４４内を洗浄しつつ、給水口４５から水槽１４内に給水される。
【００２４】
ここで、微細気泡発生器４０が例えばキャビテーション方式により微細気泡を発生させる機構を有している場合、微細気泡発生器４０内では水路を細径化することで減圧しており、水の流量が低下する。このため、最後まで微細気泡発生器４０により生成されたファインバブル水を供給し続けると、全体の給水時間が非常に長くなることになる。そこで、微細気泡発生器４０をバイパスし通過しない給水経路であるメイン管４２をさらに設けるようにする。これにより、先に微細気泡発生器４０を通過する給水経路のＦＢ側給水弁３４を開放し、洗剤ケース４４に投入された洗剤が無くなった後に、微細気泡発生器４０を通過しないバイパス給水経路であるメイン管４２を利用して給水することで全体の給水時間を短縮することができる。微細気泡発生器４０を通過しないバイパス給水経路であるメイン管４２は、洗剤ケース４４に接続させず、給水口を水槽１４上方に配置して直接給水するようにしてもよい。
【００２５】
第１実施形態によれば以下の効果を奏する。
洗い行程の初めに、ファインバブル水を洗剤が投入された洗剤ケース４４に供給する制御を実施する構成としたので、洗剤を効率よく分散させた状態で溶解することを可能とした。これにより洗濯時の洗浄効果を向上させた洗濯機１０を提供することができる。
【００２６】
また、ファインバブル水により洗剤を溶解した後に、微細気泡発生器４０を通過しない通常の水道水などの源水２２を水槽１４に給水する制御を実施する構成としたので、すべての洗濯水をファインバブル水とする場合に比較して、水槽１４への給水時間を短縮することを、洗浄効果を低下させることなく可能とすることができる。
なお、ファインバブル水の供給は必ずしも洗い行程の最初でなく、源水２２の供給と前後して行われたとしても給水の初期段階であれば実質的に同様の効果を期待し得る。
【００２７】
（第２実施形態）
以下、第２実施形態について説明する。以下の説明において、第１実施形態と共通する構成部位には同一の符号を付し、説明を省略する。
【００２８】
図３に示すように、第２実施形態に係る洗濯機１０は、給水弁ユニット３２、微細気泡発生器４０を備えているが、ＦＢ側給水弁３４及び微細気泡発生器４０を通過して生成したファインバブル水はＦＢ管３８から水槽１４−回転槽１６間に給水され、まず初めに水槽１４底部の洗剤溶解領域６０に貯水される構成となっている。また、微細気泡発生器４０を通過することなくメイン給水弁３６及びメイン管４２を通過した源水２２も、水槽１４−回転槽１６間に給水され、水槽１４に貯水される構成となっている。洗濯機１０は回転槽１６側部に洗剤投入口５４を有している。洗剤投入口５４から投入された洗剤は、洗剤通過道５６を通過し回転槽１６底部のパルセータ１８下部に通じ、一部は洗剤落下口５８から水槽１４底部にも落下する構成となっている。
【００２９】
次に、第２実施形態の作用について図５を参照して説明する。まず初めに、洗剤は洗剤投入口５４から投入されており、水槽１４底部の洗剤溶解領域６０付近に存在している。洗い行程において、制御装置４６は、ＦＢ側給水弁３４を開放する制御を行う。図３に示すように、ＦＢ側給水弁３４には微細気泡発生器４０が装着されている。従って、ＦＢ側給水弁３４から供給された源水２２は、微細気泡発生器４０を通過してファインバブル水となり、ファインバブル水はＦＢ管３８を通過し、水槽１４−回転槽１６間に給水され、回転槽１６底部に貯水される。制御装置４６は、ファインバブル水がパルセータ１８に浸る程度に貯水されたことを認識したら、パルセータ１８を駆動する制御を実施する。水位の検知は、水槽１４内の水位が水位センサ５０により検知され、水位信号が制御装置４６に送信されることにより実施される。パルセータ１８に駆動により、水槽１４底部の洗剤溶解領域６０においてファインバブル水が撹拌される。これにより、ファインバブル水と洗剤が接触、撹拌され、洗剤がファインバブル水に分散した洗剤液が生成される。
【００３０】
制御装置４６は、洗剤とファインバブル水を十分に撹拌し洗剤が溶解したと判断した後、ＦＢ側給水弁３４を閉塞して、メイン給水弁３６を開放し、水槽１４内に洗濯水を満たす制御を実施する。
【００３１】
第２実施形態によれば、第１実施液体と同様の効果を奏する。また、洗剤投入口５４、洗剤通過道５６及びパルセータ１８下に通じる洗剤落下口５８を有するため、溶解前の濃い洗剤が洗濯物に直接接触することなく洗剤溶解領域６０に投入される。これにより、洗剤とファインバブル水を給水初期に効率的に接触、撹拌することができるため、良好に洗剤を溶解させることができる。
【００３２】
（第３実施形態）
以下、第３実施形態について説明する。第３実施形態に係る洗濯機１０は、第１実施形態、又は第２実施形態に係る洗濯機１０の構成に、更に、柔軟剤側給水弁３７、柔軟剤管４３、柔軟剤ケース６２を加えた構成を備えている。以下詳述する。
【００３３】
図４に示すように、洗濯機１０は、給水弁ユニット３２を備えている。給水弁ユニット３２は多連、この場合は３連の給水弁であり、ＦＢ側給水弁３４、メイン給水弁３６、及び柔軟剤側給水弁３７を備えている。柔軟剤側給水弁３７は柔軟剤管４３を介して柔軟剤ケース６２に接続している。柔軟剤側給水弁３７と柔軟剤ケース６２の間に微細気泡発生器４１を備えている。柔軟剤ケース６２内には界面活性剤として柔軟剤が投入されている。微細気泡発生器４１を通過した源水２２はファインバブル水となり、これが柔軟剤ケース６２に供給される。柔軟剤ケース６２内で、柔軟剤とファインバブル水が接触、撹拌されて、ファインバブル水に柔軟剤が溶解される。ここでは柔軟剤ケース６２は柔軟剤の溶解領域でもある。
【００３４】
この時、ファインバブル水は表面にマイナス電荷を有しているため、プラスに帯電しやすい界面活性剤すなわち柔軟剤を吸着しやすい。このため、ファインバブル水は通常の水道水に比較して短時間で柔軟剤を水中に分散することができるため、柔軟剤を良好に溶解することが可能となる。柔軟剤がファインバブル水に溶解して柔軟剤水となり、これが水槽１４に供給される。この場合、柔軟剤ケース６２に、柔軟剤とファインバブル水を接触、撹拌して柔軟剤をファインバブル水に溶解させる溶解室すなわち溶解領域を設けてもよい。
【００３５】
また、洗剤ケース４４に接続するＦＢ管３８は微細気泡発生器４０を有し、ＦＢ側給水弁３４により給水制御がされる。また、洗剤ケース４４に接続する給水経路であるメイン管４２は微細気泡発生器４０を有しておらず、メイン給水弁３６により給水制御され、これは微細気泡発生器４０を通らないいわゆるバイパスルートでもある。洗剤ケース４４は供給管３９を介して水槽１４に給水可能に構成される。
【００３６】
図４では、外箱１２、回転槽１６その他の構成を簡略化して水槽１４のみを代表して描いているが、具体的な構造は、図１又は図３における外箱１２、水槽１４、回転槽１６、パルセータ１８、モータ２０の構成を同様である。例えば、本実施形態を、実施形態１に係る洗濯機１０に適用すれば、柔軟剤ケース６２から供給される柔軟剤水は水槽１４及び回転槽１６に上方から供給される。また、本実施形態を、実施形態２に係る洗濯機１０に適用すれば、柔軟剤ケース６２から供給される柔軟剤水は、水槽１４−回転槽１６間に供給され、水槽１４底部に貯水される。
【００３７】
第３実施形態の作用について説明する。図５に示すように、最終すすぎ行程において、制御装置４６は、柔軟剤側給水弁３７を開放することにより、源水２２を、柔軟剤管４３を介して微細気泡発生器４１に供給する。微細気泡発生器４１を通過する際に、源水２２はファインバブル水となり、柔軟剤ケース６２に供給される。柔軟剤ケース６２には柔軟剤が投入されている。よってファインバブル水は柔軟剤ケース６２においてまず柔軟剤と接触、撹拌され、ファインバブル水に柔軟剤が溶解した柔軟剤液が生成する。生成した柔軟剤液は、柔軟剤管４３を通過して、水槽１４内に供給される。
【００３８】
次に、柔軟剤ケース６２内の柔軟剤が溶けきった後に、制御装置４６は柔軟剤側給水弁３７を閉塞し、メイン給水弁３６を開放する。メイン給水弁３６を通過する源水２２は洗剤ケース４４を通過し、供給管３９を介して水槽１４に供給される。これにより、源水２２とファインバブル水に柔軟剤が溶解した柔軟剤水が水槽１４に満たされる。
【００３９】
第３実施形態に係る洗濯機１０によれば以下の効果を奏する。
最終すすぎ行程の初めに、ファインバブル水を柔軟剤が投入された柔軟剤ケース６２に供給する制御を実施する構成としたので、柔軟剤を効率よく分散させた状態でファインバブル水に溶解することを可能とした。これにより柔軟剤が衣類へ浸透やすくなり、洗濯後の衣類がより柔らかな仕上がりとなるため、最終すすぎ時の柔軟効果を向上させた洗濯機１０を提供することができる。
【００４０】
また、ファインバブル水により柔軟剤を溶解した後に、通常の水道水などの源水２２を水槽１４に給水する制御を実施する構成としたので、すべてのすすぎ水をファインバブル水とする場合に比較して、水槽１４への全体の給水時間を短縮することを、柔軟効果を向上させた状態で行うことができる。
【００４１】
上記第１から第３実施形態の説明において、洗濯機１０として、回転槽の回転軸が鉛直方向を向いたいわゆる縦軸型の洗濯機を例示して説明したが、これに限らない。例えば洗濯機１０が、回転槽の回転軸が水平又は後方へ向かって下降傾斜したいわゆる横軸型のドラム式洗濯機であってもよい。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
図面中、１０は洗濯機、１４は水槽、１６は回転槽、４４は洗剤ケース（溶解領域）、３０は給水管（給水経路）、３４はＦＢ側給水弁、３６はメイン給水弁、３７は柔軟剤側給水弁、３８はＦＢ管（給水経路）、３９は供給管（給水経路）、４２はメイン管（給水経路）、４３は柔軟剤管（給水経路）、４０、４１は微細気泡発生器、４６は制御装置、６０は洗剤溶解領域、６２は柔軟剤ケース（溶解領域）、を示す。
【図１】
2018118175.tif 000003
【図２】
2018118175.tif 000004
【図３】
2018118175.tif 000005
【図４】
2018118175.tif 000006
【図５】
2018118175.tif 000007